(57)【要約】      （修正有）【課題】災害が発生してしまった場合に有効な多機能を備えた懐中電灯の提供。【解決手段】懐中電灯の内部に警報器機能と拡声器機能を組み込む。機能切換えスイッチ６及びこれとは独立した拡声用スイッチを設ける。懐中電灯の握り部となる胴体３の側面前部に点灯と警報を切換える機能切換えスイッチ６を配置すると共に拡声用スイッチの操作部を後壁８に設ける。懐中電灯の前部開口に円形の投光用開口１９とその周囲の環状をした拡声用開口２０を形成する。【選択図】図１
0003107918.tif 000002
【実用新案登録請求の範囲】
【請求項１】
懐中電灯の内部に警報器機能と拡声器機能を組み込んであることを特徴とした多機能懐中電灯。
【請求項２】
点灯と警報を切換える機能切換えスイッチ及びこれとは独立した拡声用スイッチを備えていることを特徴とした請求項１に記載の多機能スイッチ。
【請求項３】
拡声用スイッチは音量調整を兼ねたものであることを特徴とした請求項２に記載の多機能懐中電灯。
【請求項４】
懐中電灯の握り部となる胴体の側面前部に機能切換えスイッチを配置すると共に胴体後端面の内側にマイクロフォンを配置してマイクロフォンに通じる小孔を後壁に形成し、拡声用スイッチの操作部を後壁から外部に露出させてあることを特徴とした請求項２または３に記載の多機能懐中電灯。
【請求項５】
懐中電灯の前部開口に投光用開口と拡声用開口が形成されていることを特徴とした請求項１〜４のいずれか一つに記載の多機能懐中電灯。
【請求項６】
懐中電灯の前部開口が、円形の投光用開口とその周囲の環状をした拡声用開口とで形成されていることを特徴とした請求項５に記載の多機能懐中電灯。
【請求項７】
懐中電灯の前部に、電球を中心とした曲面の投射反射鏡とその後部にスピーカーが配置され、懐中電灯の前部が後方から前部開口に向けて拡がる回転体形状の頭部に形成されていることを特徴とした請求項６に記載の多機能懐中電灯。
【考案の詳細な説明】
【技術分野】
【０００１】
本考案は、特に災害時に有効な複数の機能を備えた懐中電灯に関する。
【背景技術】
【０００２】
防災用あるいは緊急時用の懐中電灯は、下記特許文献に一例を示すように多数のものが提案されている。これらは緊急時に自動点灯するようにしたもの、緊急時の投光機能の強化、笛やナイフなど緊急時に必要される部材の一体化、あるいはラジオなど情報機器の一体化である。
【０００３】
【特許文献１】特開２００３−５９３０１公報
【特許文献２】特開２０００−９０７０３公報
【特許文献３】特開平１１−３５３９０１号公報
【特許文献４】特開平１０−１４４１０２号公報
【特許文献５】特開平１０−２７５０１号公報
【特許文献６】特開平９−２３１８０５号公報
【特許文献７】特開平９−９７５０１号公報
【考案の開示】
【考案が解決しようとする課題】
【０００４】
しかし、これらは災害に備えるためのものであったり、緊急事態の発生をいち早く知らしめようとするものであって、災害時に見舞われて身動きできなくなっているとか、自分以外にも誰かいるのか知りたいとか、あるいは混乱する現場で人々を誘導する必要が生じるなどのことについては有効といえない。
この考案は、災害が発生してしまった場合に有効な多機能を備えた懐中電灯の提供を課題とする。
【課題を解決するための手段】
【０００５】
懐中電灯に警報器機能と拡声器機能を持たせる。
警報器機能は、電子アラームなどの大音響を発するものとする。
拡声器機能はマイクロフォンの入力をアンプで拡大してスピーカーから拡声する。
これらの電源は全て収容した電池とする。
【考案の効果】
【０００６】
懐中電灯であるから、暗闇の中にいても視覚が確保され、安心感を得られると共に状況を把握することができる。また、携帯に便利で持ち出しやすい。比較的安価である。
警報器機能による大音響は、他の人々に対する注意喚起のために用いることができるのはもちろん、自分が閉じ込められたときに居場所をいち早く報せることができる。
拡声器機能は、自分が身動きできないときに前記の警報器機能と同様に閉じ込められている居場所をいち早く報せることができるとともに、閉じ込められている状況を詳しく伝達して能率的な救助を受けることができる。このときに拡声作用は弱々しい声を拡大して伝達することができる。逆に、孤立して閉じ込められている人々を音声で勇気づけることができる。
拡声機能は、また、地域としての災害対策システムが機能する前の初期混乱状況にあって、人々に情報を伝達し誘導するのに有効である。
【考案を実施するための最良の形態】
【０００７】
懐中電灯の内部にスピーカーで発音させる電子アラーム回路（警報器機能）と、マイクロフォンとアンプ回路及び前記スピーカーからなる拡声器（機能）を組み込む。点灯と警報を切換える機能切換えスイッチ及び拡声用スイッチを設ける。機能切換えスイッチは懐中電灯の握り部（胴体）には位置し、拡声用スイッチは機能切換えスイッチとは独立させ、マイクロフォンとともに、胴体の後壁に配置する。
【０００８】
なお、懐中電灯の投光する側が前部であり、頭部となっている。
懐中電灯の前部開口に投光用開口と拡声用開口を設ける。実際には、懐中電灯の前部開口を円形の投光用開口とその周囲の環状をした拡声用開口に形成する。また、懐中電灯の前部に、電球を中心とした曲面の投射反射鏡とその後部にスピーカーを配置して懐中電灯の前部が後方から前部開口に向けて拡がる回転体形状の頭部に形成し、スピーカーからの音（警報音、マイクロフォンからの声）が懐中電灯前部の形態により、さらに拡大されて外部に拡声される構造とする。
【実施例】
【０００９】
図１、２に示すように、多機能懐中電灯１は、大きく分けて頭部２（前部）と胴体３とからなる。
頭部２には前面部材４が、キャップリング５で固定されている。胴体３には、側面の前部に機能切換えスイッチ６が前後方向で３段階に切り替え可能に配置されている。胴体３の側面中間部には電池交換用の扉７が形成され、係合構造により開閉可能となっている。胴体３の後壁８には、マイクロフォン用の小孔９とスリット１０が形成され、スリット１０からは内部の拡声用スイッチ（後述）の操作ダイアル１１が露出している。
【００１０】
なお、頭部２と胴体３は断面円形の一体の合成樹脂成形品の殻体１２からなる。殻体１２は、図３のように前後方向に半割状態で成形した半殻体１２ａ，１２ｂを左右合体して１個の殻体１２に構成する。殻体１２の前部にはキャップリング５を螺合するための雄ねじ１３が形成され、半殻体の内面には、部品を差し込んだり、位置決めするためのさまざまな段差や突起及び規制壁が形成されている。
頭部２は胴体３よりも大径であり、胴体３との接続部である基部から前部開口まで徐々に径が大きくなる回転体形状に形成されている。
【００１１】
図４のように、殻体１２の内部には、前方から前面部材４、電球部材１４、スピーカー部材１５、電池パック１６、マイクロフォン１７及びスイッチ兼用の音量調節器１８が装着される。それぞれの装着位置は矢印で示す位置であって、それぞれの個所で前記の段差や突起あるいは規制壁によって位置決めされる。その位置での固定は差込構造や挟みつけあるいは接着によっている。なお、このような固定手段は通常のものでよいので説明を省略する。
【００１２】
前面部材４は、円形の投光用開口１９とその周囲に位置して環状をした拡声用開口２０を設けた前板２１とその後部に一体に形成された投射反射鏡２２とからなる。投射反射鏡２２の前部直径は投光用開口１９と同じとされ、前記の拡声用開口２０の後方はスピーカー間で空間となっている。拡声用開口２０はパンチング網状に閉鎖されている（図１）。また、投射反射鏡２２の後部は上下方向の平面で切断され電球２３が貫通できる程度の孔が形成されている。
【００１３】
スピーカー部材１５は発音面を前方向け、電球部材１４の後方、すなわち、頭部２内部の後部に位置している。スピーカー部材１５はアラーム回路及び出力制御ＩＣを備えた制御回路基板２４を一体に備えている。
電池パック１６は単４型を４本（６Ｖ）束ねている。マイクロフォン１７は、胴体３の後壁８内面で、前記の小孔９の位置に接着固定されている。音量調節器１８は、円板形の操作ダイアル１１を備えると共にスイッチ回路、アンプ回路、及び音量調節回路を備えた音量回路基板２５を備えている。音量調節器１８は、後壁８のスリット１０を貫通させて操作ダイアル１１の一部を後壁８の後方へ露出させている。
【００１４】
機能切換えスイッチ６は、スライドボタン２６を、半殻体１２ａ，１２ｂを組み合わせるときに両方の半殻体１２ａ，１２ｂに渡る格好で装着され、前後方向にスライド可能である。これにより、スライドボタン２６の下面に設けた一個の接点Ｐが前方の接点Ｌ（投光用）と後方の接点Ａ（アラーム）と選択的に接する。接点Ｌと接点Ａとの中間はニュートラル位置である。各部材は図の鎖線でつなぐように相互に結線される。
【００１５】
具体的結線回路は図５の通りである。電球Ｌ（２３）を点灯するためのスイッチＳ１を備えた点灯回路、音声を拡大し伝達するためのダイオードＤ１，マイクロフォンＭ（１７）、トランジスタＴ及びボリュームＶを有し、スイッチＳ２を備えたスピーカー回路、及びアラーム用ＩＣ（ＩＣ２）を有し、スイッチＳ３を備えたアラーム回路が電源に対して独立して構成され、スピーカー回路とアラーム回路は制御用ＩＣ（ＩＣ１）に接続され、一個のスピーカーＳＰに結線されている。
【００１６】
スピーカーＳＰは、前記したスピーカー部材１５の一部である。また、スイッチＳ２とボリュームＶは一体となって音量調節器１８を構成し、操作ダイアル１１によって、オン・オフと音量が調節される。前記した回路において他の構成は公知であり、これを採用すれば良いから、具体的な説明を省略する。
なお、図５において、Ｒは抵抗、Ｃはコンデンサである。
【００１７】
以上の構成であるから、完成した多機能懐中電灯１を手に持ち、スライドボタン２６を前方に押すと、通常の懐中電灯と同様に投光することができる。スライドボタン２６を後方へ移動させると、途端に大音響のアラーム音が生じる。スライドボタン２６をニュートラル位置にもどすと投光やアラーム音を停止することができる。
さらに、スライドボタン２６とは別に操作ダイアル１１を回動してスイッチＳ２を投入すると、スピーカー回路が起動し、小孔９を通してマイクロフォンが受けた音が拡大されてスピーカー部材１５から発せられる。従って、胴体３の小孔９に口を近づけて、ちょうどハンドマイクのように用いて意図することを大きな音で伝達することができる。
そして、点灯回路、アラーム回路及びスピーカー回路は電源に対して独立しているから、例えば、投光しながらスピーカーを用いるなどの重複作動が可能である。
【００１８】
以上、実施例を示したが、殻体１２の素材は金属板であってもよく、また、頭部２と胴体３は一体に成形しなければならないものではない。頭部２前面の投光用開口１９と拡声用開口２０は同心の円形としたが、２つの開口があり、一方がスピーカー部材１５の発音面を外部へ開放するものであればよい。ただし、実施例のように投光用開口１９よりも大きくスピーカー部材１５からラッパ状に外部へ拡大する形態が好ましい。回路構成は一例であり、同様な機能の回路は他にも構成し得る。
この多機能懐中電灯を平時は、アウトドアレジャーや集団行動において便利に用いることができるのはいうまでもない。
【図面の簡単な説明】
【００１９】
【図１】前方より見た全体の斜視図
【図２】後方より見た全体の斜視図
【図３】殻体を分割して見せた斜視図
【図４】各部材の配置を模式的に示した側面図
【図５】回路構成の具体例
【符号の説明】
【００２０】
１  多機能懐中電灯
２  頭部
３  胴体
４  前面部材
５  キャップリング
６  機能切換えスイッチ
７  扉
８  後壁
９  小孔
１０  スリット
１１  操作ダイアル
１２  殻体
１２ａ，１２ｂ  半殻体
１３  雄ねじ（キャップリング用）
１４  電球部材
１５  スピーカー部材
１６  電池パック
１７  マイクロフォン
１８  音量調節器
１９  投光用開口
２０  拡声用開口
２１  前板
２２  投射反射鏡
２３  電球
２４  制御回路基板
２５  音量回路基板
２６  スライドボタン
【図１】
0003107918.tif 000003
【図２】
0003107918.tif 000004
【図３】
0003107918.tif 000005
【図４】
0003107918.tif 000006
【図５】
0003107918.tif 000007